(57)【特許請求の範囲】
【請求項１】
建築現場で発生した掘削土を、直方体状の枠体と該枠体の底として形成された載置部と該枠体の上面の四隅に夫々設けられた受け部とからなり、運搬時に分解又は折り畳んで平積み可能な収容ラックに収容された各容器に充填し、掘削土が充填された複数の収容ラックを前記受け部に担持させることにより段積みして建築現場に保管し、該収容ラックを建築現場の埋め戻し場所において反転することにより保管された掘削土を埋め戻しに使用することを特徴とする掘削土の利用方法。
【発明の詳細な説明】
【技術分野】
【０００１】
本発明は、建築現場で発生した掘削土を効率的に保管並びに利用する方法に関するものである。
【背景技術】
【０００２】
住宅の基礎工事等により建築現場において発生した掘削土は、その建築現場に一時的に保管されて埋め戻しに使われる土と、残土として有料で処分される土とに分けられる。埋め戻しに使う分の掘削土は、建築現場の空きスペースに山状に盛り上げて埋め戻しまで保管される。しかし、都会等における建築現場は狭小地であることが多く、建築現場に空きスペースがあまりないので、掘削土を盛り上げておく保管場所が狭い。したがって、基礎工事等で発生した掘削土はすべて残土として処分され、埋め戻しの際に必要な土は客土として別途購入しているが、残土の処分費及び客土の購入費により建築コストが上がるという問題がある。
【０００３】
これに対し、掘削土を袋詰めして建築現場に保管する方法が提案されている。土を山状に盛る場合に、一定面積の保管場所に対して盛り上げる高さに限界があり、高く盛り上げようとしても裾野部分へ土が流れ落ちて保管場所以外へ侵出してしまうが、当該方法によれば、袋体に掘削土を充填することにより掘削土を一定形状の塊とし、掘削土を一定の高さに山状に盛った直積み部の上部を平坦にならして、前記袋体を直積み部の上へ積み上げることにより、直積み部に積まれた掘削土が袋体により塊として維持されるので、掘削土が直積み部から流れ落ちることなくさらに高く積み上げることができる。これにより、狭小地における掘削土の保管量が増える（特許文献１参照）。
【０００４】
【特許文献１】特開平１１−２４７２２２号公報
【発明の開示】
【発明が解決しようとする課題】
【０００５】
しかし、前記袋体は、布のような可撓性のものであり、掘削土が充填されていない状態では自立しないので、掘削土の充填作業では作業者が袋体の開口部を支持する必要がある。また、袋体に掘削土を充填した後に、袋体を安定した形状に整えることも必要となる。一般に、地面の掘削はバックホー等の土木建築機械を用いて行うが、該土木建築機械の近傍で作業者が袋体を開いて掘削土を受取るような作業工程は、非効率的であり作業者の危険度も高い。さらに、掘削土が充填された袋体の形状をある程度整えたとしても、直積み部は掘削土を盛っただけであるから風雨等により崩れる場合があり、直積み部が崩れるとその上に積まれた袋体も転倒したり転落するおそれがある。また、掘削土の中には石等の突起物が含まれていることがあるが、掘削土が充填された袋体を吊り上げて移動したり直積み部上へ積み上げるために土木建築機械で取り扱う際に、該突起物により袋体が破れることもある。したがって、より効率的且つ安定した掘削土の利用及び保管方法が望まれる。
【０００６】
本発明は、かかる課題を解決すべくなされたものであり、建築現場で発生した掘削土を効率的且つ安全に保管して利用する方法を提供することを目的とする。
【課題を解決するための手段】
【０００７】
本発明に係る掘削土の利用方法は、建築現場で発生した掘削土を、直方体状の枠体と該枠体の底として形成された載置部と該枠体の上面の四隅に夫々設けられた受け部とからなり、運搬時に分解又は折り畳んで平積み可能な収容ラックに収容された各容器に充填し、掘削土が充填された複数の収容ラックを前記受け部に担持させることにより段積みして建築現場に保管し、該収容ラックを建築現場の埋め戻し場所において反転することにより保管された掘削土を埋め戻しに使用することを特徴とする。
【発明の効果】
【０００８】
本発明によれば、収容ラックに収容された各容器に掘削土を充填するので、一度に複数の容器に掘削土を充填することができ、充填作業が効率化される。また、容器の積み上げ作業や反転作業も、収容ラック単位で行うことができるので効率化される。また、収容ラックを分解又は折り畳んで平積み可能としたので、運搬が効率的となり、運搬コストを抑制できる。
【発明を実施するための最良の形態】
【０００９】
以下、本発明の実施の形態に係る掘削土の利用方法について詳細に説明する。
図１は、本実施の形態に係る容器２の構成を示す概略斜視図である。図に示すように、該容器２は、上面に開口２ａを有する外形が直方体のものであり、硬質材料から形成されているが、容器２上に別の容器２が段積みされるものではないので、別の容器２を支持できる強度までは要求されず、容器２が開口２ａを維持した状態で自立し、充填した掘削土の重量を支持できる程度の強度を有すれば十分である。したがって、プラスチック成形や板金を曲折して溶接することにより容器２を作製することができるが、現場で用いるパレット等の平板状の部材を直方体状に組み付けてボルト等で固定することにより容器２を作製することもできる。一方、収容ラック４は、図２に示すように、複数の前記容器２を並べて載置することができ、収容ラック４自体が段積み可能なものである。詳細には、収容ラック４は、直方体状の枠体４０と該枠体４０の底として形成された載置部４１とからなるものであり、該枠体４０は、断面Ｌ字型の鋼材４２を、直方体の各辺を構成するように組み付け、各鋼材４２の組合せ部分を溶接で固定し、直方体の側面となる部分に金網４３を張設したものである。枠体４０の大きさは、３個の容器２を一列に並べて収容できる大きさであるが、これは作業性等を考慮して適宜変更可能である。鋼材４２は枠体４０の骨材であって、掘削土が充填されて積み重ねられる別の収容ラック４を支持できる強度が必要であり、そのために筋違等を設けて枠体４０の強度を高めるようにしてもよい。なお、本実施の形態では、断面Ｌ字型の鋼材４２を用いているが、例えば鋼管等の他の部材を枠体４０の骨材として使用できることは勿論である。また、枠体４０の各鋼材４２をすべて溶接固定せずに、ボルト等の固着具を用いて建築現場で組み立てられるようにし、運搬時には適宜分解或いは折り畳んで平積みできるようにすれば、収容ラック４の運搬が効率的となり、運搬コストを抑制できるので好ましい。枠体４０に張設された金網４３は、収容ラック４内に収容された容器２の脱落を防止するためのものであり、金網４３に代えて鋼板を配設してもよいが、収容ラック４の軽量化を考慮すれば、金網４３が好適である。
【００１０】
枠体４０の上面は、開口状態のままであり、枠体４０の上面の四隅には、別の収容ラック４の枠体４０を安定的に積み重ねるための受け部４４が夫々設けられている。図３は、該受け部４４の拡大斜視図であるが、図に示すように、受け部４４は、別の枠体４０の底面を担持するための基部４４０と、枠体４０の側面の隅部に沿って曲折され該基部４４０から上方ヘ立設された規制部４４１とからなり、枠体４０の上面の隅部において、基部４４０の上面が水平となり、且つ規制部４４１が枠体４０の外側となるように鋼材４２に固定されている。これにより、枠体４０の上に別の枠体４０を積み重ねる場合に、基部４４０により別の枠体４０を水平に担持することができ、また、規制部４４１により上下の各枠体４０の側面が面一となるように別の枠体４０の位置決めを行い、且つ積み重ねられた枠体４０が水平方向へ移動すること防止する。したがって、安定した状態で枠体４０を積み重ねることが可能となる。また、枠体４０の底部全面には、図２に示すように、底板４５が張られている。該底板４５は、掘削度が充填された３個の容器２の重量を支持するに十分な強度を有するものであり、例えば鋼板を用いることができる。なお、本収容ラック４に収容可能な容器２の個数は任意のものであり、本実施の形態で示した数に限定されるものではない。
【００１１】
以下、前記容器２及び収容ラック４を用いた第３の実施の形態に係る掘削土の利用方法について説明する。
基礎工事により発生した掘削土を容器２に充填する作業では、図４に示すように、予め複数の容器２を収容ラック４に収容しておき、該収容ラック４を掘削場所付近に置く。その後、バックホー５等の土木建築機械を用いて地盤を掘削し、掘削土を各容器２の開口２ａから容器内へ充填する。該容器２は硬質材料からなるものなので、作業者が容器２を支持しなくとも開口２ａは開口状態に維持されている。また、複数の容器２が並べた状態にあるので、土木建築機械を用いて複数の容器２に連続的に掘削土を充填することができ、充填作業が効率化される。この作業を繰り返して、複数の収容ラック４の各容器２に掘削土を充填していく。
【００１２】
つぎに、掘削土が充填された複数の容器２が載置された収容ラック４を、図５に示すように、ユニック車６等の吊上搬送機により、建築現場の保管スペースに移動して並べる。更なる収容ラック４は、図に示すように、該収容ラック４の上に段積みしていく。枠体４０の上端の四隅には受け部４４が設けられており、該受け部４４が、積み重ねる収容ラック４の枠体４０を水平な状態で担持し、且つ、上下の各枠体４０の側面が面一となるように位置決めするので、収容ラック４を整列して段積みすることが容易であり、また、段積みされた収容ラック４の位置ズレが防止される。したがって、狭い保管スペースに効率的且つ安定した状態で収容ラック４を段積みできる。段積みを終えた掘削土保管容器１は埋め戻し作業を行うまで放置されるが、該掘削土保管容器１は安定した状態で段積みされているので安全であり、例えば敷地の境界付近等の狭い保管スペースに効率的且つ安定した状態で容器２を保管することができる。また、本実施の形態では、容器２の積み上げ作業を収容ラック４単位で行うので作業が効率化される。また、容器２自体が他の容器２を支持するような段積みではないので、容器２には充填された掘削土を保持する程度の強度があればよく、様々な種類の容器を自由に選択することができ、容器２を収容ラック４に収容して保管することにより、段積みのように一の容器２の揺れ等の不安定さが他の容器２に直接影響しないので、積み上げ保管の状態が安定する。なお、降雨により容器２内の掘削土が雨水を含むことを防ぐため、最上段の容器２の開口２ａをビニールシート等で覆っておくことが好ましい。
【００１３】
容器２により保管された掘削土を用いた埋め戻し作業では、図６に示すように、段積みされた各収容ラック４をユニック車６等により埋め戻し場所に移動して降ろし、吊紐を収容ラック４の底部に掛け直して再び吊り上げて反転させる。これにより容器２も反転して、開口２ａから掘削土が埋め戻し場所へ流出する。このような反転作業も収容ラック４単位で行うので作業が効率化される。これを順次繰り返して埋め戻し作業を行う。このようにして、埋め戻し作業を終えた後、余剰の掘削土は残土として処分する。
【産業上の利用可能性】
【００１４】
本発明に係る掘削土の利用方法は、基礎工事等の際に地面を掘削し、その後、掘削した場所に土を埋め戻す工事において利用することができる。
【図面の簡単な説明】
【００１５】
【図１】本発明の実施の形態に係る容器２の構成を示す概略斜視図である。
【図２】本発明の実施の形態に係る収容ラック４の構成を示す概略斜視図である。
【図３】受け部４４の構成を示す拡大斜視図である。
【図４】掘削土を容器２に充填する作業を説明するための模式図である。
【図５】収容ラック４を段積みして保管する作業を説明するための模式図である。
【図６】容器２の掘削土を用いた埋め戻し作業を説明するための模式図である。
【符号の説明】
【００１６】
２  容器
４  収容ラック
【要約】      （修正有）【課題】建築現場で発生した掘削土を効率的且つ安全に保管して利用する方法を提供する。【解決手段】建築現場で発生した掘削土を、直方体状の枠体４０と該枠体４０の底として形成された載置部４１と該枠体４０の上面の四隅に夫々設けられた受け部４４とからなり、運搬時に分解又は折り畳んで平積み可能な収容ラック４に収容された各容器２に充填し、掘削土が充填された複数の収容ラック４を前記受け部４４に担持させることにより段積みして建築現場に保管し、該収容ラック４を建築現場の埋め戻し場所において反転することにより保管された掘削土を埋め戻しに使用する。【選択図】図９【図１】
0003582791.tif 000002
【図２】
0003582791.tif 000003
【図３】
0003582791.tif 000004
【図４】
0003582791.tif 000005
【図５】
0003582791.tif 000006
【図６】
0003582791.tif 000007